(57)【要約】      （修正有）【課題】回転系構成部材であるロータ、弁本体、キャン、弁軸、ガイド部材、弁ホルダ、回転規制用ストッパ等に高い同軸度を確保できるとともに、それらの間に発生する摩擦抵抗を可及的に低減できるようにされた電動弁を提供する。【解決手段】  弁軸６０と、円筒部８１を有するガイドステム８０と、円筒状の弁ホルダ９０と、弁体６１と、弁座７２を有する弁本体７０と、キャン４０と、ロータ３０と、ステータ５０と、ガイドステム８０に付設された雌ねじ部材８５の内周に形成された固定ねじ部２８と弁軸６０の外周に形成された可動ねじ部２９とからなる、前記弁体６１を弁座７２に接離させるためのねじ送り機構１６と、を備え、前記ガイドステム８０に、弁本体７０及びキャン４０との同軸度を上げるための位置決めに供される連結保持部８２が一体に設けられてなる。【選択図】  図１
2006112617.tif 000002
【特許請求の範囲】
【請求項１】
弁軸と、該弁軸が内挿される円筒部を有するガイドステムと、前記弁軸の下端部に保持固定されて前記ガイドステムに内挿された円筒状の弁ホルダと、該弁ホルダに、前記弁軸に対して軸方向の相対移動及び相対回転可能な状態で内挿されるとともに、抜け止め係止された弁体と、該弁体が接離する弁座を有する弁本体と、該弁本体に接合されたキャンと、該キャンの内周に配在されたロータと、該ロータを回転駆動すべく前記キャンの外周に配置されたステータと、前記ガイドステムに付設された雌ねじ部材の内周に形成された固定ねじ部と前記弁軸の外周に形成された可動ねじ部とからなる、前記弁体を前記弁座に接離させるためのねじ送り機構と、を備え、前記ガイドステムに、前記弁本体及びキャンとの同軸度を上げるための位置決めに供される連結保持部が一体に設けられていることを特徴とする電動弁。
【請求項２】
前記弁本体は、キャン受け鍔状部付き有底円筒状とされ、前記ガイドステムの連結保持部は、弁本体の内周に嵌挿される円筒部、前記キャン受け鍔状部上に乗せられて溶接接合される上側鍔状部、及び、前記円筒部に連設された底部からなる鍔状部付き有底円筒状とされていることを特徴とする請求項１に記載の電動弁。
【請求項３】
前記キャン受け鍔状部の外径より前記連結保持部の上側鍔状部の外径の方が小さくされ、前記キャン受け鍔状部と前記上側鍔状部とで形成される段差部に前記キャンの下端部が突き合わせ溶接により密封接合されていることを特徴とする請求項１に記載の電動弁。
【請求項４】
前記ガイドステムの円筒部の外周に、回転規制用ストッパー機構を構成する、線材を螺旋状に同一巻き方向及びピッチで曲成してなる固定ストッパ及び可動ストッパが配在されていることを特徴とする請求項１から３のいずれか一項に記載の電動弁。
【請求項５】
弁軸と、該弁軸が内挿される円筒部を有するガイドステムと、前記弁軸の下端部に保持固定されて前記ガイドステムに内挿された円筒状の弁ホルダと、該弁ホルダに、弁軸に対して軸方向の相対移動及び相対回転可能な状態で内挿されるとともに、抜け止め係止された弁体と、該弁体が接離する弁座を有する弁本体と、該弁本体に接合されたキャンと、該キャンの内周に配在されたロータと、該ロータを回転駆動すべく前記キャンの外周に配置されたステータと、前記ガイドステムに付設された雌ねじ部材の内周に形成された固定ねじ部と前記弁軸の外周に形成された可動ねじ部とからなる、前記弁体を前記弁座に接離させるためのねじ送り機構と、を備え、前記弁軸に前記ガイドステムの円筒部の内径より小なる外径の鍔状ガイド部が設けられるとともに、該鍔状ガイド部の外径より前記弁ホルダの外径の方が小さくされていることを特徴とする電動弁。
【請求項６】
前記弁軸の下端部に前記弁ホルダの上端部がかしめ固定されていることを特徴とする請求項５に記載の電動弁。
【請求項７】
前記キャン受け鍔状部と前記上側鍔状部との溶接接合の便宜を図るべく、前記キャン受け鍔状部上面の何カ所かに突起が形成されていることを特徴とする請求項２に記載の電動弁。
【請求項８】
前記弁本体の一側部に冷媒入出用の第１の導管が連結固定されており、前記突起は、前記キャン受け鍔状部上面における、平面視で前記第１の導管上からは外れた部分に形成されていることを特徴とする請求項７に記載の電動弁。
【発明の詳細な説明】
【技術分野】
【０００１】
本発明は、空気調和機、冷蔵庫等に組み込まれて使用される電動弁に係り、特に、回転系構成部材（ロータ、弁本体、キャン、弁軸、ガイド部材等）に高い同軸度を確保できるとともに、それらの間に発生する摩擦抵抗を可及的に低減できるようにされた電動弁に関する。
【背景技術】
【０００２】
空気調和機、冷蔵庫等に組み込まれて使用される電動弁としては、例えば下記特許文献１等にも見られるように、弁体を有する弁軸と、弁体が接離する弁座を有する弁本体と、該弁本体に接合されたキャンと、該キャンの内周に配在されたロータと、該ロータを回転駆動すべく前記キャンの外周に配置されたステータと、弁本体に保持固定され、弁軸を案内する円筒状部を有するガイド部材と、ロータと弁体との間に配在され、ロータの回転を利用して弁体を弁座に接離させるねじ送り機構と、を備えたものが知られている。
【０００３】
この電動弁では、ねじ送り機構がガイド部材の外周に形成された固定ねじ部と、弁軸及びガイド部材の外周に配在された弁軸ホルダの内周に形成された可動ねじ部と、から構成されている。
【０００４】
また、他の電動弁として、ロータに弁軸が一体回転及び一体昇降可能に連結されるとともに、弁軸と弁体が別体とされたものが、例えば下記特許文献２等にも見られるように知られている。このタイプの電動弁では、例えば、弁軸の下部に円筒状の弁ホルダが取り付けられ、この弁ホルダに、別体の弁体（の上部）が弁軸に対して軸方向の相対移動及び相対回転可能な状態で内挿されるとともに、抜け止め係止され、また、弁体を弁座に接離させるためのねじ送り機構は、例えば、ガイド部材に付設された雌ねじ部材の内周に形成された固定ねじ部と、弁軸の外周に形成された可動ねじ部と、から構成されている。
【０００５】
【特許文献１】特開２００１−５０４１５号公報
【特許文献２】特開２００３−３２９１５８号公報
【発明の開示】
【発明が解決しようとする課題】
【０００６】
前記した如くの従来の電動弁において回転系構成部材であるロータ、弁本体、キャン、弁軸、ガイド部材、弁ホルダ等には高い同軸度を確保すること、つまり、それらの回転軸線もしくは中心軸線に極力ずれを生じさせないようにすること（各軸線を共通の軸線に一致させること）が必要であり、充分な同軸度が得られない場合は、キャンとロータが擦り合ったり、弁軸とガイド部材あるいは弁ホルダとガイド部材との摺接部分の摩擦抵抗が増大する等して、動作性能や耐久性能等が低下してしまう。
【０００７】
本発明は、このような事情に鑑みてなされたものであって、その目的とするところは、
回転系構成部材であるロータ、弁本体、キャン、弁軸、ガイド部材、弁ホルダ、回転規制用ストッパ等に高い同軸度を確保できるとともに、それらの間に発生する摩擦抵抗を可及的に低減できるようにされた電動弁を提供することにある。
【課題を解決するための手段】
【０００８】
前記の目的を達成すべく、本発明に係る電動弁は、基本的には、弁軸と、該弁軸が内挿される円筒部を有するガイドステムと、前記弁軸の下端部に保持固定されて前記ガイドステムに内挿された円筒状の弁ホルダと、該弁ホルダに、弁軸に対して軸方向の相対移動及び相対回転可能な状態で内挿されるとともに、抜け止め係止された弁体と、該弁体が接離する弁座を有する弁本体と、該弁本体に接合されたキャンと、該キャンの内周に配在されたロータと、該ロータを回転駆動すべく前記キャンの外周に配置されたステータと、前記ガイドステムに付設された雌ねじ部材の内周に形成された固定ねじ部と前記弁軸の外周に形成された可動ねじ部とからなる、前記弁体を前記弁座に接離させるためのねじ送り機構と、を備える。
【０００９】
そして、前記ガイドステムに、前記弁本体及びキャンとの同軸度を上げるための位置決めに供される連結保持部が一体に設けられていることを特徴としている。
【００１０】
好ましい態様では、前記弁本体は、キャン受け鍔状部付き有底円筒状とされ、前記ガイドステムの連結保持部は、前記弁本体の内周に嵌挿される円筒部、前記キャン受け鍔状部上に乗せられて溶接接合される上側鍔状部、及び、前記円筒部に連設された底部からなる鍔状部付き有底円筒状とされる。
【００１１】
他の好ましい態様では、前記キャン受け鍔状部の外径より前記連結保持部の上側鍔状部の外径の方が小さくされ、前記キャン受け鍔状部と前記上側鍔状部とで形成される段差部に前記キャンの下端部が突き合わせ溶接により密封接合される。
【００１２】
他の別の好ましい態様では、前記ガイドステムの円筒部の外周に、回転規制用ストッパ機構を構成する、線材を螺旋状に同一巻き方向及びピッチで曲成してなる固定ストッパ及び可動ストッパが配在される。
【００１３】
本発明に係る電動弁の他の好ましい態様は、基本的には、弁軸と、該弁軸が内挿される円筒部を有するガイドステムと、前記弁軸の下端部に保持固定されて前記ガイドステムに内挿された円筒状の弁ホルダと、該弁ホルダに、弁軸に対して軸方向の相対移動及び相対回転可能な状態で内挿されるとともに、抜け止め係止された弁体と、該弁体が接離する弁座を有する弁本体と、該弁本体に接合されたキャンと、該キャンの内周に配在されたロータと、該ロータを回転駆動すべく前記キャンの外周に配置されたステータと、前記ガイドステムに付設された雌ねじ部材の内周に形成された固定ねじ部と前記弁軸の外周に形成された可動ねじ部とからなる、前記弁体を前記弁座に接離させるためのねじ送り機構と、を備える。
【００１４】
そして、前記弁軸に前記ガイドステムの円筒部の内径より小なる外径の鍔状ガイド部が設けられるとともに、該鍔状ガイド部の外径より前記弁ホルダの外径の方が小さくされていることを特徴としている。
【００１５】
この場合、好ましい態様では、前記弁軸の下端部に前記弁ホルダの上端部がかしめ固定される。
【００１６】
他の好ましい態様では、前記キャン受け鍔状部と前記上側鍔状部との溶接接合の便宜を図るべく、前記キャン受け鍔状部上面の何カ所かに突起が形成される。
【００１７】
この場合、好ましい態様では、前記弁本体の一側部に冷媒入出用の第１の導管が連結固定されており、前記突起は、好ましくは、前記キャン受け鍔状部上面における、平面視で前記第１の導管上からは外れた部分に形成される。
【発明の効果】
【００１８】
本発明に係る電動弁は、ガイドステムに、弁本体及びキャンとの同軸度を上げるための位置決めに供される連結保持部が一体に設けられているので、回転系を構成するロータ、弁本体、キャン、弁軸、ガイドステム、弁ホルダ、回転規制用ストッパ等に所要の同軸度が得られる。
【００１９】
特に、弁本体を鍔状部付き有底円筒状とし、ガイドステムの連結保持部を、弁本体の内周に嵌挿される円筒部、弁本体のキャン受け鍔状部上に乗せられて溶接接合される上側鍔状部、及び、円筒部に連設された底部からなる鍔状部付き円筒状とし、さらには、キャン受け鍔状部と連結保持部材とで形成される段差部にキャンの下端部を突き合わせ溶接により接合するようになすことにより、ガイドステムを基準にして、回転系を形成する全ての部材の回転軸線及び中心軸線にほとんどずれを生じないようにでき、それらに高い同軸度を確保することができ、これによって、回転系構成部材の摺接部分で発生する摩擦抵抗が低減され、その結果、動作性能や耐久性能等が向上する。
【００２０】
また、弁軸にガイドステムの円筒部の内径より小なる外径の鍔状ガイド部を設けるとともに、該鍔状ガイド部の外径より弁ホルダの外径の方を小さくすることにより、ガイドステムと弁ホルダとの干渉が防止され、弁軸への弁ホルダの組付精度及びそれらの同軸度が低くても、動作性能や耐久性能等に悪影響を与えないようにできる。
【００２１】
上記に加え、前記キャン受け鍔状部上面に特定の態様で突起を形成しておくことにより、前記キャン受け鍔状部と前記上側鍔状部との溶接接合の便宜が図られるとともに、弁室形成部材に対してガイドステムが傾むくような不具合は生じず、所要の同軸度を出すことができて、製品の性能を向上させることができる。
【発明を実施するための最良の形態】
【００２２】
以下、本発明の実施形態を図面を参照しながら説明する。
【００２３】
図１は、本発明に係る電動弁の一実施形態を示す縦断面図である。本実施形態の電動弁１０は、弁室７１、弁座部材７２（弁口７２ａ）を有する弁本体７０を備えている。弁本体７０は、切削加工により作製された弁口７２ａを有する弁座部材７２と、プレス加工により作製されたキャン受け鍔状部７４ａ付き円筒状の弁室形成部材７４と、からなっており、弁座７２に接離する弁体６１により冷媒等の流体の通過流量を調整するようになっている。なお、弁座部材７２には、弁室形成部材７４の円筒状下端部が圧入、溶接等により固定されている。これにより、弁座部材７２と弁室形成部材７４とに高い同軸度が得られる。そして、前記弁室形成部材７４のキャン受け鍔状部７４ａに、下方開口の有底円筒状のキャン４０の下端部４０ｂが突き合わせ溶接（溶接部Ｋ）により密封接合されている（後で詳述）。
【００２４】
前記弁本体７０の弁室７１の一側方には、冷媒入出用の第１の導管４１が、また、弁室７１の下方には、冷媒入出用の第２の導管４２がそれぞれろう付け等により連結固定されている。
【００２５】
前記キャン４０の内周には、所定の間隙をあけてロータ３０が配在され、該ロータ３０を回転駆動すべく前記キャン４０の外周には、ヨーク５１、ボビン５２、及びステータコイル５３，５３等からなるステータ５０が配置され、前記ロータ３０と前記ステータ５０とでステッピングモータが構成されている。
【００２６】
そして、前記ロータ３０の内周側には、該ロータ３０にナット部材を介して一体に連結された弁軸６０と、該弁軸６０が内挿される円筒部８１を有するガイドステム８０と、が配在されている。
【００２７】
前記ガイドステム８０の円筒部８１の下端部には、弁本体７０及びキャン４０との同軸度を上げるための位置決めに供される連結保持部８２が一体に設けられている。この連結保持部８２は、図２に拡大して示されているように、弁本体７０の弁室形成部材７４の内周に嵌挿される円筒部８２ｂ、キャン受け鍔状部７４ａ上に乗せられて溶接接合される上側鍔状部８２ａ、及び、前記円筒部８１に連設された底部８２ｃからなる鍔状部付き有底円筒状とされている。
【００２８】
前記連結保持部８２の上側鍔状部８２ａの下面（もしくはキャン受け鍔状部７４ａの上面）には何カ所かに溶接接合の便宜をはかるための突起８２ｅが形成されている。弁室形成部材７４に連結保持部８２を接合するにあたっては、弁室形成部材７４の内周に連結保持部８２の円筒部８２ｂを嵌挿（圧入）するとともに、キャン受け鍔状部７４ａ上に連結保持部８２の上側鍔状部８２ａを乗せて押し付け（前記突起８２ｅを食い込ます）、加圧した状態で溶接、例えば、プロジェクション溶接を行う。これにより、弁室形成部材７４（弁本体７０）と連結保持部８２（ガイドステム８０）とが高い同軸度をもって接合される。
【００２９】
さらに、本実施形態では、弁室形成部材７４のキャン受け鍔状部７４ａの外径より連結保持部８２の上側鍔状部８２ａの外径の方が小さくされており、キャン受け鍔状部７４ａと上側鍔状部８２ａとで形成される段差部７３にキャン４０の下端部４０ｂが突き合わせ溶接（溶接部Ｋ）により密封接合されている。これにより、キャン４０の中心軸線と、弁本体７０を構成する弁座部材７２、弁室形成部材７４、及び連結保持部８２の中心軸線のみならず、ガイドステム８０の中心軸線との間にもずれがほとんど生じず、さらに、ガイド部材８０に内挿された弁軸６０、ひいてはロータ３０の軸線との間にもほとんどずれが生じず、回転系を構成する全ての部材に高い同軸度（共通の軸線Ｏ）が得られる。
【００３０】
一方、前記弁軸６０の下端部には、図５（Ａ）に示される如くに、円筒状の弁ホルダ９０の上端部９０ａをかしめ固定するための保持固定用鍔状部６３ｂ及び環状溝６３ｃが設けられるとともに、その上に前記保持固定用鍔状部６３ｂより外径が大なる鍔状ガイド部６３ａが設けられている（詳細は後述）。弁ホルダ９０は、弁軸６０に保持固定されてガイドステム８０の円筒部８１に内挿されており、該弁ホルダ９０に、弁体６１（の鍔状掛止部６１ｃ）が弁軸６０に対して軸方向の相対移動及び相対回転可能な状態で内挿されている。弁体６１は、弁座部材７２に着座する円錐台状部６１ｂと該円錐台状部６１ｂに一体に連結された短軸の弁ステム部６１ａとからなり、弁ステム部６１ａの上部に設けられた鍔状掛止部６１ｃが前記弁ホルダ９０の下端曲成部９０ｂに抜け止め係止されている。前記弁ホルダ９０内には、弁体６１をボール６５を介して下方に付勢する緩衝用のコイルばね６４が縮装されている。
【００３１】
また、前記弁体６１を前記弁座部材７２に接離させるためのねじ送り機構１６が備えられており、このねじ送り機構１６は、円筒管からなるガイドステム８０の上部に内嵌固定された雌ねじ部材８５の内周に形成された固定ねじ部２８と、前記弁軸６０の中央部外周に形成された、前記固定ねじ部２８に螺合せしめられる可動ねじ部２９と、からなっている。
【００３２】
したがって、本実施形態の電動弁１０では、ロータ３０が回転せしめられると、それと一体に弁軸６０が回転せしめられ、このとき、前記ねじ送り機構１６により弁軸６０が弁体６１を伴って昇降せしめられ、これによって、冷媒の通過流量が調整される。
【００３３】
さらに、前記ガイドステムの外周には、回転規制用ストッパ機構を構成する固定ストッパ６８と可動ストッパ（スライダ）６９とが外嵌されている。固定ストッパ６８は、図３（Ａ）に示される如くに、有効巻数が５．５（５巻半）で巻方向が右のコイルばね（線材を螺旋状に曲成したもの）で、その上端部は螺旋部分から上向きに折り曲げられた上側係止部６８ａとされ、その下端部は螺旋部分から下向きに折り曲げられた下側係止部６８ｂとされている。また、可動ストッパ６９は、図３（Ｂ）に示される如くに、有効巻数が１．５（１巻半）で巻方向が右のコイルばね（線材を螺旋状に曲成したもの）で、その上端部は螺旋部分から側方に折り曲げられた側方突出接当部６９ａとされ、螺旋部分の下端（末端）は平坦面に形成された端面接当部６９ｂとされている。
【００３４】
可動ストッパ６９の材料である線材の直径は固定ストッパ６８の材料である線材の直径より若干大きくされているが、可動ストッパ６９のピッチと固定ストッパ６８のピッチは同じとされている。固定ストッパ６８（の下側係止部６８ｂ）はガイドステム８０の連結保持部８２（の底部８２ｃ）に固定され、可動ストッパ６９は、図４に示される如くに、固定ストッパ６８の螺旋部分に組み込まれてその螺旋部分に沿って回転しながら昇降できるようになっている。
【００３５】
可動ストッパ６９の側方突出接当部６９ａは、ロータ３０の回転時（正転時、逆転時のいずれも）にロータ３０の内周に突設された縦長の押動板３９により押動されるようになっている。したがって、ロータ３０が平面視時計回りに回転せしめられるときには、可動ストッパ６９が同方向に回転しながら下降し、最終的には、図４において最も下降した位置が実線で示されているように、端面接当部６９ｂが固定ストッパ６８の下側係止部６８ｂに衝接して係止され、これにより、ロータ３０の回転及び下降が強制的に停止せしめられる。ロータが平面視反時計回りに回転せしめられるときは、可動ストッパ６９が同方向に回転しながら上昇し、最終的には、図４において最も上昇した位置が仮想線で示されているように、側方突出接当部６９ａが固定ストッパ６８の上側係止部６８ａに衝接して係止され、これにより、ロータ３０の回転及び上昇が強制的に停止せしめられる。
【００３６】
以上のような構成とされた本実施形態の電動弁１０は、ガイドステム８０に、弁本体７０及びキャン４０との同軸度を上げるための位置決めに供される連結保持部８２が一体に設けられているので、回転系を構成するロータ３０、弁本体７０、キャン４０、弁軸６０、ガイドステム８０、弁ホルダ９０、回転規制用ストッパ６８、６９等に所要の同軸度が得られる。
【００３７】
特に、弁本体７０をキャン受け鍔状部７４ａ付き有底円筒状とし、ガイドステム８０の連結保持部８２を、弁本体の内周に嵌挿される円筒部８２ｂ、弁本体７０のキャン受け鍔状部７４ａ上に乗せられて溶接接合される上側鍔状部８２ａ、及び、円筒部８１に連設された底部８２ｃからなる鍔状部付き円筒状とし、さらには、キャン受け鍔状部７４ａと連結保持部材８２とで形成される段差部７３にキャン４０の下端部４０ｂを突き合わせ溶接により接合するようになすことにより、ガイドステム８０を基準にして、回転系を形成する全ての部材の回転軸線及び中心軸線にほとんどずれを生じないようにでき、それらに高い同軸度（共通の軸線Ｏ）を確保することができ、これによって、回転系構成部材の摺接部分で発生する摩擦抵抗が低減され、その結果、動作性能や耐久性能等が向上する。
【００３８】
また、本実施形態では、図５（Ａ）に示される如くに、弁軸６０の下端部にガイドステム８０の円筒部８１の内径Ｄｃより小なる外径Ｄａの鍔状ガイド部６３ａを設けるとともに、該鍔状ガイド部６３ａの外径Ｄａより弁ホルダ９０の外径Ｄｂの方を小さくして、鍔状ガイド部６３ａとガイドステム８０との間に形成される間隙αより、弁ホルダ９０とガイドステム８０との間に形成される間隙βの方を大きくしている。この場合、図５（Ｂ）に示される如くに、鍔状ガイド部６３ａに相当する鍔状部６３ａ’の外径Ｄａを弁ホルダ９０の外径Ｄｂより小さくして、鍔状ガイド部６３ａとガイドステム８０との間に形成される間隙α’より、弁ホルダ９０とガイドステム８０との間に形成される間隙βの方を小さくすると、ガイドステム８０と弁ホルダ９０とが干渉しやすくなるが、本実施形態（図５（Ａ））のようにすることにより、ガイドステム８０と弁ホルダ９０との干渉が防止され、弁軸６０への弁ホルダ９０の組付精度及びそれらの同軸度が低くても、動作性能や耐久性能等に悪影響を与えないようにできる。
【００３９】
ところで、上記実施形態ではガイドステム８０の円筒部８１の下端部に連結保持部８２が一体に設けられ、この連結保持部８２の上側鍔状部８２ａが、弁本体７０の弁室形成部材７４のキャン受け鍔状部７４ａ上に乗せられて溶接接合されるようになっている。
【００４０】
かかる連結保持部８２の上側鍔状部８２ａと弁室形成部材７４のキャン受け鍔状部７４ａとの溶接接合にあたっては、弁室形成部材７４の一側部に第１の導管４１が、また、その下部に第２の導管４２がそれぞれ連結固定されている関係上、図６に示される如くの治具１１０が用いられる。
【００４１】
図示の治具１１０は、その上面部１１０ａが平坦な受け面とされ、この上面部１１０ａには、弁室形成部材７４（の胴部）が上から落とし込まれて嵌挿保持される嵌挿保持穴１１１が穿設されており、前記上面部１１０ａにおける前記嵌挿保持穴１１１周りの部分に前記キャン受け鍔状部７４ａが載置されるようになっている。また、治具１１０の側部には、前記キャン受け鍔状部７４ａを前記上面部１１０ａにおける前記嵌挿保持穴１１１周りの部分に載せ置く際に、前記側方に突出している第１の導管４１部分を上から下へと通過をさせるため、正面視Ｕ字状の上面開口の切欠開口１１２が形成されている。
【００４２】
かかる治具１１０を用いて連結保持部８２の上側鍔状部８２ａと弁室形成部材７４のキャン受け鍔状部７４ａとを溶接接合する際には、図６（Ｂ）、（Ｃ）に示される如くに、
弁室形成部材７４（の胴部）を嵌挿保持穴１１１に上から落とし込んで、キャン受け鍔状部７４ａを前記上面部１１０ａにおける前記嵌挿保持穴１１１周りの部分に乗せ置き、しかる後、弁室形成部材７４の内周に連結保持部８２の円筒部８２ｂを嵌挿（圧入）するとともに、キャン受け鍔状部７４ａ上に連結保持部８２の上側鍔状部８２ａを乗せて押し付け、加圧した状態で溶接を行う（図２も参照）。
【００４３】
ここで、前述したように前記連結保持部８２の上側鍔状部８２ａの下面側には、図２に加えて図７を参照すればよくわかるように、プロジェクション溶接の便宜を図るべく、例えば環状の突起８２ｅが形成されており、この突起８２ｅが、キャン受け鍔状部７４ａ上に上側鍔状部８２ａを乗せて押し付けた際にキャン受け鍔状部７４ａに食い込み（図７（Ｄ）参照）、溶接（プロジェクション溶接）の接合強度等を向上させるようになっている。
【００４４】
ところが、前記のような環状の突起８２ａを設けた場合には、次のような問題が生じるおそれがある。すなわち、治具１１０には、前述のように第１の導管４１を通すための切欠開口１１２が形成されている関係上、キャン受け鍔状部７４ａを前記上面部１１０ａにおける前記嵌挿保持穴１１１周りの部分に乗せ置いても、キャン受け鍔状部７４ａの一部（前記切欠開口１１２上に位置する部分）は上面部１１０ａで受け止められていないことになる。そのため、キャン受け鍔状部７４ａ上に上側鍔状部８２ａを乗せて押し付けても、キャン受け鍔状部７４ａ及び上側鍔状部８２ａ全周に均一な力をかけることができず、そのため、環状の突起８２ｅのうち、前記切欠開口１１２上に位置する部分は、他の部分に比して、キャン受け鍔状部７４ａへの食い込み量が小さくなり、その結果、弁室形成部材７４に対してガイドステム８０が傾いてしまい、所要の同軸度が出ず、製品の性能を低下させる要因となる。
【００４５】
一方、前記環状の突起８２ｅに代えて、図８に示される如くに、上側鍔状部８２ａの下面の何カ所か（ここでは、１２０°間隔で３カ所）に、例えば断面円形の凸状突起８２ｅ’を設けた場合には、凸状突起８２ｅ’がキャン受け鍔状部７４ａを介して上面部１１０ａ部分で受け止められておれば、各突起８２ｅ’に均一に力をかけることができ、前記のような不具合は生じにくくなるが、各突起８２ｅ’が切欠開口１１２上に位置しないように、弁室形成部材７４に対してガイドステム８０を位置決めしなくてはならないので、手間がかかり面倒である。
【００４６】
それに対し、図９に示される如くに、キャン受け鍔状部７４ａ上面における、平面視で前記第１の導管４１上からは外れた部分の何カ所か（ここでは、１２０°間隔で３カ所）に、例えば断面円形の凸状突起７４ｅを設けた場合には、凸状突起７４ｅ部分は必ず切欠開口１１２以外の上面部１１０ａ部分で受け止められることになり、そのため、各突起７４ｅに均一に力をかけることができる。その結果、各突起７４ｅの上側鍔状部８２ａへのの食い込み量が等しくなり、弁室形成部材７４に対してガイドステム８０が傾むくような不具合は生じず、所要の同軸度を出すことができて、製品の性能を向上させることができる。
【図面の簡単な説明】
【００４７】
【図１】本発明に係る電動弁の一実施形態を示す縦断面図。
【図２】図１に示される弁本体周辺の部分拡大図。
【図３】図１に示される電動弁の回転規制用ストッパ機構を構成する固定ストッパ（Ａ）と可動ストッパ（Ｂ）を示す図。
【図４】図１、図３に示される回転規制用ストッパ機構の動作説明に供される図。
【図５】図１に示される弁軸と弁ホルダとの連結部付近の拡大図（Ａ）と比較例の同じ部分の拡大図（Ｂ）。
【図６】ガイドステムの上側鍔状部と弁室形成部材のキャン受け鍔状部との溶接接合に用いられる治具の説明に供される図。
【図７】ガイドステムの上側鍔状部下面に環状突起を形成した場合における、上側鍔状部とキャン受け鍔状部との溶接接合の説明に供される図。
【図８】ガイドステムの上側鍔状部下面の何カ所かに凸状突起を形成した場合における、上側鍔状部とキャン受け鍔状部との溶接接合の説明に供される図。
【図９】弁室形成部材のキャン受け鍔状部上面の何カ所かに凸状突起を形成した場合における、上側鍔状部とキャン受け鍔状部との溶接接合の説明に供される図。
【符号の説明】
【００４８】
１０  電動弁
１６  ねじ送り機構
３０  ロータ
２８  固定ねじ部
２９  可動ねじ部
４０  キャン
４１、４２  導管
５０  ステータ
６０  弁軸
６３ａ  鍔状ガイド部
６１  弁体
６８  固定ストッパ
６９  可動ストッパ
７０  弁本体
７１  弁室
７２  弁座部材
７２ａ  弁口
７４  弁室形成部材
７４ａ  キャン受け鍔状部
７４ｅ  突起
８０  ガイドステム
８２  連結保持部
８２ａ  上側鍔状部
８２ｅ、８２ｅ’  突起
９０  弁ホルダ
【図１】
2006112617.tif 000003
【図２】
2006112617.tif 000004
【図３】
2006112617.tif 000005
【図４】
2006112617.tif 000006
【図５】
2006112617.tif 000007
【図６】
2006112617.tif 000008
【図７】
2006112617.tif 000009
【図８】
2006112617.tif 000010
【図９】
2006112617.tif 000011